【手続補正書】
【提出日】平成29年3月14日(2017.3.14)
【手続補正１】
【補正対象書類名】明細書
【補正対象項目名】発明の名称
【補正方法】変更
【補正の内容】
【発明の名称】気液分離器の収納装置
【手続補正２】
【補正対象書類名】明細書
【補正対象項目名】０００１
【補正方法】変更
【補正の内容】
【０００１】
本発明は、例えばエアコンプレッサ等から供給されたエアータンク内の圧縮空気を気液分離する気液分離器の取付けないし設置に好適で、圧縮空気を高精度かつ能率良く気液分離し、気液分離した乾燥かつ除湿した圧縮空気をエアーツールへ安全に供給し得るとともに、気液分離器を屋内外の所望位置に簡便かつ安全に設置できるようにした、気液分離器の収納装置に関する。
【手続補正３】
【補正対象書類名】明細書
【補正対象項目名】００１２
【補正方法】変更
【補正の内容】
【００１２】
本発明はこのような問題を解決し、例えばエアコンプレッサ等から供給されたエアータンク内の圧縮空気を気液分離する気液分離器の取付けないし設置に好適で、圧縮空気を高精度かつ能率良く気液分離し、気液分離した乾燥かつ除湿した圧縮空気をエアーツールへ安全に供給し得るとともに、気液分離器を屋内外の所望位置に簡便かつ安全に設置できるようにした、気液分離器の収納装置を提供することを目的とする。
【手続補正４】
【補正対象書類名】明細書
【補正対象項目名】００１３
【補正方法】変更
【補正の内容】
【００１３】
請求項１の発明は、エアータンクからエア−ツールへ圧縮空気を供給する供給管路に収納ボックスを介挿し、該収納ボックスに前記供給管路に連通し圧縮空気の気液を分離可能な気液分離器を収納し、前記収納ボックスを屋内外へ移動かつ持ち運び可能に設置し、収納ボックスをエアーツールの位置に応じて屋内外の所望位置へ容易に設置可能にし、気液分離器ないし収納ボックスの使用上の利便性を向上するようにしている。
請求項２の発明は、収納ボックスの一側面に供給管路に連通するインレットとアウトレットを配置し、インレットとアウトレットに接続する空気導出管または空気供給管の配管と着脱作業を容易かつ能率良く行なえるようにしている。
【手続補正５】
【補正対象書類名】明細書
【補正対象項目名】００１４
【補正方法】変更
【補正の内容】
【００１４】
請求項３の発明は、収納ボックスの一側面に供給管路に連通するインレットを配置し、他側面にアウトレットを配置し、インレットとアウトレットに接続する空気導出管または空気供給管の配管と着脱作業を簡潔に行なうとともに、収納ボックスの設置の簡便化と設置スペースのコンパクト化を図るようにしている。
請求項４の発明は、収納ボックスの周面の一部を開閉可能にし、気液分離器の修理、整備点検、メンテナンス等に容易に応じられるようにしている。
【手続補正６】
【補正対象書類名】明細書
【補正対象項目名】００１５
【補正方法】変更
【補正の内容】
【００１５】
請求項５の発明は、収納ボックスの背面に開口部を設け、該開口部に背面カバーを着脱可能に取付け、常時は収納ボックスを密閉し、必要に応じて背面カバーを取外して背面を開口し、メンテナンス等の利便を図るようにしている。
請求項６の発明は、収納ボックスの上部に該ボックスを持ち運び可能な把手を設け、収納ボックスの取り扱いと移動の利便を図るようにしている。
請求項７の発明は、収納ボックスを屋外に設置可能にし、気液分離器の屋外における安全な使用を実現するようにしている。
【手続補正７】
【補正対象書類名】明細書
【補正対象項目名】００１６
【補正方法】変更
【補正の内容】
【００１６】
請求項８の発明は、収納ボックスの下部に該ボックスの底面積よりも広い面積を備えた張出ボックスを配置し、収納ボックスの安定した設置を図るようにしている。
請求項９の発明は、収納ボックスの側面内面にガイドレ−ルを水平に取付け、該ガイドレ−ルの長さ方向に支持金具を摺動可能に取付け、該支持金具に気液分離器を挟持可能にし、収納ボックス内における気液分離器の取付け位置を調整可能にしている。
請求項１０の発明は、インレットとアウトレットに空気導出管または空気供給管を装着したカプラを着脱可能に連結し、インレットまたはアウトレットに対する空気導出管または空気供給管の接続を簡便に行なえるようにしている。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項１の発明は、エアータンクからエア−ツールへ圧縮空気を供給する供給管路に収納ボックスを介挿し、該収納ボックスに前記供給管路に連通し圧縮空気の気液を分離可能な気液分離器を収納し、前記収納ボックスを屋内外へ移動かつ持ち運び可能に設置したから、収納ボックスをエアーツールの位置に応じて屋内外の所望位置へ容易に設置可能にし、気液分離器ないし収納ボックスの使用上の利便性を向上することができる。
請求項２の発明は、収納ボックスの一側面に供給管路に連通するインレットとアウトレットを配置したから、インレットとアウトレットに接続する空気導出管または空気供給管の配管と着脱作業を容易かつ能率良く行なうことができる。
【手続補正１１】
【補正対象書類名】明細書
【補正対象項目名】００２０
【補正方法】変更
【補正の内容】
【００２０】
請求項３の発明は、収納ボックスの一側面に供給管路に連通するインレットを配置し、他側面にアウトレットを配置したから、インレットとアウトレットに接続する空気導出管または空気供給管の配管と着脱作業を簡潔に行なえるとともに、収納ボックスの設置の簡便化と設置スペ−スのコンパクト化を図ることができる。
請求項４の発明は、収納ボックスの周面の一部を開閉可能にしたから、気液分離器の修理、整備点検、メンテナンス等に容易に応じられる効果がある。
【手続補正１２】
【補正対象書類名】明細書
【補正対象項目名】００２１
【補正方法】変更
【補正の内容】
【００２１】
請求項５の発明は、収納ボックスの背面に開口部を設け、該開口部に背面カバーを着脱可能に取付けたから、常時は収納ボックスを密閉し、必要に応じて背面カバーを取外して背面を開口し、メンテナンス等の利便を図ることができる。
請求項６の発明は、収納ボックスの上部に該ボックスを持ち運び可能な把手を設けたから、収納ボックスの取り扱いと移動の利便を図ることができる。
請求項７の発明は、収納ボックスを屋外に設置可能にしたから、気液分離器の屋外における安全な使用を実現することができる。
【手続補正１３】
【補正対象書類名】明細書
【補正対象項目名】００２２
【補正方法】変更
【補正の内容】
【００２２】
請求項８の発明は、収納ボックスの下部に該ボックスの底面積よりも広い面積を備えた張出ボックスを配置したから、収納ボックスの安定した設置を図ることができる。
請求項９の発明は、収納ボックスの側面内面にガイドレールを水平に取付け、該ガイドレールの長さ方向に支持金具を摺動可能に取付け、該支持金具に気液分離器を挟持可能にしたから、収納ボックス内における気液分離器の取付け位置を調整することができる。
請求項１０の発明は、インレットとアウトレットに空気導出管または空気供給管を装着したカプラを着脱可能に連結したから、インレットまたはアウトレットに対する空気導出管または空気供給管の接続を簡便に行なうことができる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
【図１】本発明の第１の実施形態を適用した収納ボックスの正面図と、冷却槽とエアータンク、エアーツールの配置状況を模式的に示している。
【図２】本発明の第１の実施形態を適用した収納ボックスの平面図と、冷却槽とエアータンク、エアーツールの配置状況を模式的に示し、収納ボックスの一部を断面図示している。
【図３】本発明の第１の実施形態を適用した冷却槽と、収納ボックスの設置状況を模式的に示す斜視図である。
【図４】本発明の第１の実施形態を適用した冷却槽の断面図と、収納ボックスの設置状況を示す正面図である。
【図５】本発明を適用した収納ボックスの内部状況を示す正面図で、背面カバーを取外し、その一部を切欠いて示している。
【手続補正１７】
【補正対象書類名】明細書
【補正対象項目名】００２６
【補正方法】変更
【補正の内容】
【００２６】
【図６】本発明の第１の応用形態を適用した冷却槽の断面図である。
【図７】第１の応用形態の変形例を示す冷却槽の断面図である。
【図８】本発明の第２の応用形態を適用した冷却槽の断面図である。
【図９】図８のＡ−Ａ線に沿う断面図である。
【図１０】本発明の第３の応用形態を適用した冷却槽の断面図である。
【図１１】（ａ）は図１０のＢ−Ｂ線に沿う断面図、（ｂ）は（ａ）の変形例である
【図１２】本発明の第４の応用形態を適用した冷却槽の断面図である。
【図１３】本発明の第２の実施形態を適用した収納ボックスを示す斜視図である。
【手続補正１８】
【補正対象書類名】明細書
【補正対象項目名】００２７
【補正方法】変更
【補正の内容】
【００２７】
以下、本発明を図示の実施形態について説明すると、図１乃至図５において１はエアーコンプレッサで生成した圧縮空気を貯留するエアータンクで、その空気導入管２に調圧弁３を介して円筒状の冷却槽４が配置され、該冷却槽４で冷却し乾燥した圧縮空気を空気導出管５を介し、後述する気液分離器を収容した収納ボックス６へ供給可能にしている。
前記冷却槽４はステンレス鋼板、防錆処理したアルミニウム板によって大径の円筒体に構成され、これは有底の本体とその上部に被着する蓋体とからなり、本体の底部を地面や床面等の設置面７に可搬可能に設置し、底部を設置面７に接触させて内部に収容する後述の冷却水の冷却を増進させるようにしている。
【手続補正１９】
【補正対象書類名】明細書
【補正対象項目名】００３０
【補正方法】変更
【補正の内容】
【００３０】
前記収納ボックス６は冷却槽４から離間して設置され、該ボックス６は有底中空の縦長の筐体に構成され、その周囲を薄肉鋼板製の前面板１５と左右側面板１６，１７、上面板１８と底面板１９、および後述する背面カバーとで区画して密閉し、この背面カバーを除く各境界部を溶接して構成している。
実施形態の収納ボックス６は、縦４７０〜５００ｍｍ、横３００〜３６０ｍｍ、奥行１６０〜３００ｍｍに形成され、その重量を９〜１５ｋｇに構成して持ち運び可能にしている。
【手続補正２０】
【補正対象書類名】明細書
【補正対象項目名】００３１
【補正方法】変更
【補正の内容】
【００３１】
前記収納ボックス６の背面は開口され、この開口部に鋼板製の背面カバー２０が着脱可能に取付けられ、収納ボックス６内に収納される後述の気液分離器やドレン器のメンテナンスを至便にしている。
前記収納ボックス６の開口部に臨む左右側面板１６，１７と、上面板１８と底面板１９の端縁は断面略Ｌ字形に折曲げられ、この折曲げ部１６ａ，１７ａ，１８ａ，１９ａによって、前記開口部が図５のように額縁状に形成され、これらの折曲げ部１６ａ，１７ａ，１８ａ，１９ａに背面カバー２０を着脱可能にビス止めしている。
【手続補正２１】
【補正対象書類名】明細書
【補正対象項目名】００３２
【補正方法】変更
【補正の内容】
【００３２】
前記前面板１５の上部にテーパ面１５ａが形成され、該テーパ面１５ａに一対の圧力計２１，２２が配置され、これらによって冷却槽４から収納ボックス６に導入される圧縮空気の圧力と、後述の気液分離器によって気液分離された圧縮空気の圧力を計測可能にしている。
図中、２３は上面板１８上に取付けた逆Ｕ字形状の把手で、金属棒を逆Ｕ字形に折り曲げ、その両端部にネジ部を設け、該ネジ部に上面板１８の内側からナット（図示略）をねじ込んで取付けている。
図中、２４は底面板１９の四隅に取付けた脚で、該脚２４と一体の螺軸（図示略）を底面板１９の四隅に設けたネジ孔（図示略）螺合し、その回動量を加減して設置面７に対する高さを調節可能にしている。
【手続補正２２】
【補正対象書類名】明細書
【補正対象項目名】００４０
【補正方法】変更
【補正の内容】
【００４０】
このように構成した本発明の気液分離器の収納装置は、これを適用する冷却槽４と収納ボックス６の製作を要する。
このうち、冷却槽４を製作する場合は、有底筒状の中空の本体とこれに被着する蓋体の製作を要し、これらをステンレス鋼板、防錆処理したアルミニウム板等を用いてプレス成形し、本体の内部に冷却管１３を収容後、蓋体を本体の上部に被着する。
また、前記本体の下部に排水管９と開閉弁１１を取り付け、蓋体の上部に導入管８と開閉弁１０を取り付け、蓋体の中央に把手１４を取り付ける。
【手続補正２３】
【補正対象書類名】明細書
【補正対象項目名】００４３
【補正方法】変更
【補正の内容】
【００４３】
次に、気液分離器の収納装置である収納ボックス６を製作する場合は、鋼板を縦長矩形に切断して前面板１５と上面板１８と底面板１９および背面カバー２０を作製し、また鋼板を縦長異形の五角形に切断して側面板１６，１７を作製する。
そして、前面板１５の上部を緩やかに折り曲げてテーパ面１５ａを形成し、該テーパ面１５ａに圧力計２１，２２の取付け穴（図示略）を打ち抜く。
【手続補正２４】
【補正対象書類名】明細書
【補正対象項目名】００４６
【補正方法】変更
【補正の内容】
【００４６】
こうして製作した各部材を用いて収納ボックス６を組み立てる場合は、前面板１５の両側に側面板１６，１７を配置し、それらの上端に上面板１８を載置し、下端に底面板１９を配置し、それらの各接合部を溶接して箱体を作製する。
この状況は図５のようで、収納ボックス６の背面側に配置した各折曲げ部１６ａ，１７ａ，１８ａ，１９ａを額縁状に配置する。
【手続補正２５】
【補正対象書類名】明細書
【補正対象項目名】００４７
【補正方法】変更
【補正の内容】
【００４７】
次に、このような収納ボックス６に気液分離器２９とドレン器３０を組み込む場合は、気液分離器２９の本体３３の周面に一対の支持金具２７のホルダ部２７ａを配置して抱持し、該金具２７の一端に角軸状の連結ピン３１を挿入し、その螺軸端にナットをねじ込んで連結し、本体３３の周面を一対のホルダ部２７ａによって挟持する。
この後、支持金具２７の他端をガイドレール２７に水平に挿入し、挿入後、垂直に起立させて係止爪２７ｂ，２７ｂをガイドレール２７の係合縁２５ａ，２５ａに係合し、気液分離器２９を吊り下げる。
【手続補正２６】
【補正対象書類名】明細書
【補正対象項目名】００４８
【補正方法】変更
【補正の内容】
【００４８】
そして、気液分離器２９の下端部にドレン器３０の上端部をねじ込み、これらを気密に連結後、前述と同様に一対の支持金具２８の係止爪２８ｂ，２８ｂをガイドレール２６の係合縁２６ａ，２６ａに係合して、ドレン器３０を吊り下げる。
その際、気液分離器２９とドレン器３０に対する支持金具２７，２８の取付け位置を上下に調節して、気液分離器２９とドレン器３０の上下位置を調整し、また支持金具２７，２８の他端をガイドレール２５，２６に沿って摺動させて、収納ボックス６内における気液分離器２９とドレン器３０の前後位置を調整し、同時にそれらと導入管３５と排気管３７、圧力計測管３９，４０とドレン管５０との接触を防止する。
【手続補正２７】
【補正対象書類名】明細書
【補正対象項目名】００５０
【補正方法】変更
【補正の内容】
【００５０】
前記ドレン器３０の下端にドレン管５０の一端を接続し、その他端部をホースエンド５１に接続し、該ホースエンド５１にドレン溜（図示略）に連絡するドレンホース５２を接続する。
また、底面板１９の下面の四隅に脚５３の螺軸をねじ込み、前記折曲げ部１６ａ，１７ａ，１８ａ，１９ａに背面カバ−２０を重合し、これをビス止めして収納ボックス６の背面を閉塞する。
【手続補正２８】
【補正対象書類名】明細書
【補正対象項目名】００５１
【補正方法】変更
【補正の内容】
【００５１】
こうして組み立てた収納ボックス６は、内部に気液分離器２９やドレン器３０等を配置してそれらを保護しているから、例えば収納ボックス６をエアータンク１から離隔した屋外に設置することも可能になり、気液分離器２９やドレン器３０等をエアーツール４９の使用環境に応じて工場の内外に設置し得る。
【手続補正２９】
【補正対象書類名】明細書
【補正対象項目名】００５２
【補正方法】変更
【補正の内容】
【００５２】
次に、冷却槽４と収納ボックス６を設置する場合は、エアータンク１の設置位置とエアーツール４９の使用位置とそれらの設置環境に応じて、屋内または屋外に設置する。
例えば前記冷却槽４をエアータンク１と離間する屋内または屋外の平坦な場所に設置し、前記冷却槽４から離間して収納ボックス６を屋内または屋外の平坦な場所に設置し、該収納ボックス６から離間してエアーツール４９を配置する。
その際、冷却水を導入前の空状態の冷却槽４を、把手１４を保持して適宜位置へ持ち運び、所定の設置面７に設置する。また、収納ボックス６は把手２３を保持して適宜位置へ持ち運び、所定の設置面７に設置する。
【手続補正３０】
【補正対象書類名】明細書
【補正対象項目名】００５３
【補正方法】変更
【補正の内容】
【００５３】
実施形態では収納ボックス６を縦４７０〜５００ｍｍ、横３００〜３６０ｍｍ、奥行３００〜３６０ｍｍの比較的コンパクトに形成し、その重量を９〜１５ｋｇに構成しているから、人力によって容易に持ち運べ、設置の際は脚５３を回動操作して高さ調整し、設置面７に安定かつ水平に設置する。
【手続補正３１】
【補正対象書類名】明細書
【補正対象項目名】００５４
【補正方法】変更
【補正の内容】
【００５４】
この場合、冷却槽４は内部に冷却管１３をコイル状に捲回して配置しているから、冷却管をジグザグ状に屈曲して配置する場合に比べ、冷却管１３の長尺化と冷却槽４の小形化ないし設置スペースのコンパクト化、並びに冷却能力の向上を図れる。
したがって、冷却槽４を大型化すればする程、冷却管１３の長尺化を図れ、冷却能力が向上し得るから、冷却槽４を収納ボックス６とエアータンク１に近接して配置することができ、それらの設置スペースのコンパクト化を図れる。
しかも、本発明は冷却槽４の他に、冷却水の冷却装置や冷凍回路、冷凍式エアードライヤを要しないから、その分設備費の低減とその稼動費の削減を図れる。
【手続補正３２】
【補正対象書類名】明細書
【補正対象項目名】００５５
【補正方法】変更
【補正の内容】
【００５５】
こうして、冷却槽４と収納ボックス６を設置後、エアータンク１と冷却槽４とを空気導入管２を介して接続し、該導管２に調圧弁３を介挿するとともに、冷却槽４と収納ボックス６とを空気導出管５を介して接続し、空気導出管５に装着したカプラ４６をインレット４２側のカプラ４４に連結し、更にアウトレット４３に装着したカプラ４５に空気供給管４７側のカプラ４８を接続し、該空気供給４７の他端をエアーツール４９と接続し、ホースエンド５１にドレンホース５２を接続する。
【手続補正３３】
【補正対象書類名】明細書
【補正対象項目名】００５８
【補正方法】変更
【補正の内容】
【００５８】
こうして、コイル状部１３ａを移動する圧縮空気は、上部から下方へ移動するにつれて次第  に冷却され、その最下位置から直管部１３ｂを上動する間も冷却水１２によって冷却されて空  気導出管５へ送り出され、一様に冷却し乾燥した圧縮空気が収納ボックス６へ導入される。こ  の状況は図４のようである。
【手続補正３４】
【補正対象書類名】明細書
【補正対象項目名】００５９
【補正方法】変更
【補正の内容】
【００５９】
すなわち、圧縮空気はインレット４２から収納ボックス６に導入され、導管４１から三方ジョイント３６を経て導入管３５を移動し、上カバー３４の入口通路から気液分離器２９の内部に送り込まれて気液分離され、また気液分離前の一部の圧縮空気が圧力計測管４０に導かれて圧力計２２へ移動し、該圧力計２２によって導入空気圧が計測されて表示される。
そして、気液分離後の圧縮空気は、上カバー３４の出口通路から排気管３７へ送り出され、三方ジョイント３８から導管４１を経てアウトレット４３へ移動し、空気供給管４７に導かれてエアーツール４９へ供給される。
【手続補正３５】
【補正対象書類名】明細書
【補正対象項目名】００６１
【補正方法】変更
【補正の内容】
【００６１】
一方、気液分離器２９やドレン器３０および他の構成部材が経時的に機能低下し、または故障して、それらを取替え若しくは整備点検するメンテナンス時は、ビス（図示略）を取外して背面カバー２０を取外し、収納ボックス６の背面を開放して、気液分離器２９やドレン器３０および他の構成部材を取外し新規部材と交換した後、背面カバー２０をビス止めして気液分離器２９やドレン器３０および他の構成部材の機能を復旧させる。
また、圧縮空気の気液分離後、適時、開閉弁１１を開弁して冷却槽４内の冷却水１２を排出し、冷却水１２の汚損や冷却管１３表面の異物の付着を防止し、その熱交換の低下を防止する。
【手続補正３６】
【補正対象書類名】明細書
【補正対象項目名】００６２
【補正方法】変更
【補正の内容】
【００６２】
図６乃至図１２は本発明の応用形態を示し、前述の実施形態と対応する構成部に同一の符号を用いている。
このうち、図６は本発明の第１の応用形態を示し、この応用形態は冷却槽４に配管した冷却管１３のコイル状部１３ａの内径を移動域Ｚ1〜Ｚ3毎に漸増し、圧縮空気を移動域Ｚ1〜Ｚ3毎に断熱膨張させて冷却し、更に冷却槽４に収容した冷却水１２によって冷却している。
【手続補正３７】
【補正対象書類名】明細書
【補正対象項目名】００６３
【補正方法】変更
【補正の内容】
【００６３】
すなわち、この第１の応用形態では移動域Ｚ1のコイル状部１３ａの内径Ｄ1を空気導入管２の内径よりも若干大径に形成し、その下流側の移動域Ｚ2のコイル状部１３ａの内径Ｄ2を前記上流側の内径Ｄ1よりも若干大径（Ｄ2＞Ｄ1）に形成し、その下流側の移動域Ｚ3のコイル状部１３ａの内径Ｄ3を前記上流側の内径Ｄ2よりも若干大径（Ｄ3＞Ｄ2）に形成している。そして、コイル状部１３ａの最下流部から、その内径Ｄ3よりも若干大径の内径の直管部１３ｂを立ち上げ、その上端部を空気導出管５に接続している。
【手続補正３８】
【補正対象書類名】明細書
【補正対象項目名】００６４
【補正方法】変更
【補正の内容】
【００６４】
この応用形態では、エアータンク１の圧縮空気を空気導入管２から冷却槽４の上段の移動域Ｚ1のコイル状部１３ａへ送ると、先ずコイル状部１３ａの導入部で断熱膨張して冷
却され、この圧縮空気を移動域Ｚ1から中段の移動域Ｚ2のコイル状部１３ａへ送ると、その境界部で断熱膨張して冷却され、更にこの圧縮空気を移動域Ｚ2から下段の移動域Ｚ
3のコイル状部１３ａに送ると、その境界部で断熱膨張して冷却される。
そして、前記圧縮空気をコイル状部１３ａの最下流部から直管部１３ｂへ送ると、その境界部で断熱膨張して冷却され、この圧縮空気を空気導出管５へ送り出して収納ボックス６に導入する。
【手続補正３９】
【補正対象書類名】明細書
【補正対象項目名】００６５
【補正方法】変更
【補正の内容】
【００６５】
このようにこの応用形態は、エアータンク１の圧縮空気を冷却槽４に配管した長尺のコイル状部１３ａを移動させて冷却するとともに、各流路の境界部において断熱膨張させて冷却を促進し、乾燥した圧縮空気を収納ボックス６へ導入している。
【手続補正４０】
【補正対象書類名】明細書
【補正対象項目名】００６６
【補正方法】変更
【補正の内容】
【００６６】
図７は前記第１の応用形態の変形例を示し、コイル状部１３ａの各移動域Ｚ1〜Ｚ3における内径と直管部１３ｂの内径は、前記第１の応用形態と同様に構成している。
この変形例は冷却槽４を設置面７に立設する代わりに、設置面７に横向きに設置し、その両端部にストッパ５４を設けて設置面７に固定し、冷却槽４を安定して設置するとともに、冷却槽４の地上高を抑制し、その直上スペ−スの有効利用を図るようにしている。
【手続補正４１】
【補正対象書類名】明細書
【補正対象項目名】００６７
【補正方法】変更
【補正の内容】
【００６７】
図８および図９は本発明の第２の応用形態とその横断面図を示し、この応用形態は冷却槽４の内部に配管した冷却管１３の代わりに、単一または複数の中空のエアーチャンバ５５を間隔を置いて上下に配置し、隣接する上下のエアーチャンバ５５を小径の内径を有する導管５６を介して連通している。
この応用形態のエアーチャンバ５５は扁平な中空円筒状に形成され、その上面と下面の直径方向位置に導管５６，５６を上向きまたは下向きに突設し、上下のエアーチャンバ５５に圧縮空気を給排可能にしている。
【手続補正４２】
【補正対象書類名】明細書
【補正対象項目名】００６９
【補正方法】変更
【補正の内容】
【００６９】
また、前記冷却槽４の下部に中空室５９を設け、該中空室５９に複数捲回したコイル状部１３ａを配置し、該コイル状部１３ａの内径は導管５６の内径よりも若干大径に形成され、その上端部を最下位置の導管５６に接続し、下端部をコイル状部１３ａの内径より若干大径の直管部３ｂの下端部に接続し、このコイル状部１３ａの上端部と下端部の各境界部で圧縮空気を断熱膨張させて冷却している。
なお、この応用形態ではコイル状部１３ａを冷却槽４の下部に配置しているが、冷却槽４の上部に配置しても良く、その場合はコイル状部１３ａの内径を空気導入管２の内径よりも若干大径に形成する。
【手続補正４３】
【補正対象書類名】明細書
【補正対象項目名】００７０
【補正方法】変更
【補正の内容】
【００７０】
この応用形態では、エアータンク１の圧縮空気を空気導入管２から冷却槽４の最上段のエアーチャンバ５５へ送ると、その導入部で断熱膨張して冷却され、同時にエアーチャンバ５５の内面下部に吹き付けられて圧縮空気中の水分を除去される。
この後、前記圧縮空気は噴口から分流してエアーチャンバ５５内を内周面に沿って円滑かつ速やかに移動し、前記噴口と対向する導管５６から排出されて直下のエアーチャンバ５５へ移動する。
【手続補正４４】
【補正対象書類名】明細書
【補正対象項目名】００７２
【補正方法】変更
【補正の内容】
【００７２】
以後、圧縮空気は順次下方のエアーチャンバ５５へ移動し、各エアーチャンバ５５で断熱膨張して冷却され、同時にエアーチャンバ５５の内面下部に吹き付けられて圧縮空気中の水分を除去され、除湿ないし乾燥状態を形成する。
そして、最下段のエアーチャンバ５５を移動後、圧縮空気は導管５６から直下のコイル状部１３ａに導入され、その導入時に断熱膨張して冷却され、その最下位置のコイル状部１３ａの終端部から直管部１３ｂへ移動し、その導入時に断熱膨張して冷却されて前記直管部１３ｂを上昇し、その上端部から空気導出管５へ送り出されて収納ボックス６へ導入される。
【手続補正４５】
【補正対象書類名】明細書
【補正対象項目名】００７３
【補正方法】変更
【補正の内容】
【００７３】
このようにこの第２の応用形態は、エアータンク１の圧縮空気を冷却槽４に冷却水１２中に配置した、複数のエアーチャンバ５５とコイル状部１３ａと直管部１３ｂを移動させて冷却するとともに、各エアーチャンバ５５とコイル状部１３ａと直管部１３ｂで断熱膨張させて冷却を促進し、また各エアーチャンバ５５で圧縮空気をエアーチャンバ５５の内面下部に吹き付けて水分を除去し、除湿ないし乾燥状態を増進した圧縮空気をドライボックス６へ導入している。
この場合、冷却槽４のコイル状部１３ａを省略してエアーチャンバ５５を増設することも可能で、そのようにすることで構成を簡潔にし、冷却能力を向上することができる。
【手続補正４６】
【補正対象書類名】明細書
【補正対象項目名】００７４
【補正方法】変更
【補正の内容】
【００７４】
図１０および図１１は本発明の第３の応用形態とその横断面図を示している。この応用形態は第２の応用形態のエアーチャンバ５５を扁平な円筒体の代わりに、扁平な方形等の箱体に形成し、その内部の対向位置に一対の導管５６，５６を上向きまたは下向きに配置している。この場合、前述の応用形態のようにコイル状部１３ａを冷却槽４の下部または上部に配置しても良い。
【手続補正４７】
【補正対象書類名】明細書
【補正対象項目名】００７５
【補正方法】変更
【補正の内容】
【００７５】
この応用形態は、エアータンク１の圧縮空気を冷却槽４に冷却水１２中に配置した、複数のエアーチャンバ５５とコイル状部１３ａと直管部１３ｂを移動させて冷却するとともに、各エアーチャンバ５５とコイル状部１３ａと直管部１３ｂで断熱膨張させて冷却を促進し、また各エアーチャンバ５５で圧縮空気をエアーチャンバ５５の内面下部に吹き付けて水分を除去し、除湿ないし乾燥状態を増進した圧縮空気を収納ボックス６へ導入している。
【手続補正４８】
【補正対象書類名】明細書
【補正対象項目名】００７６
【補正方法】変更
【補正の内容】
【００７６】
その際、エアーチャンバ５５を扁平な方形等の箱体に形成して、空気導入管２または導管５６から導入した圧縮空気の一部をエアーチャンバ５５の四隅に滞留させて、圧縮空気の移動速度を抑制し、抑制した圧縮空気を収納ボックス６へ導入して気液分離器２９による気液分離作用を精密かつきめ細かに行なうようにしている。
図１１（ｂ）は図１１（ａ）の変形例で、空気導入管２と導管５６の位置をエアーチャンバ５５の対角線上に配置し、四隅部における滞留の形成を増進させて、前記抑制作用を向上させている。
【手続補正４９】
【補正対象書類名】明細書
【補正対象項目名】００７７
【補正方法】変更
【補正の内容】
【００７７】
図１２は本発明の第４の応用形態を示し、この応用形態は冷却管１３の内径を移動域Ｚ1〜Ｚ3毎に移動方向に沿って大管部と細管部を交互に繰り返し、圧縮空気の断熱膨張と断熱圧縮を交互に行なって圧縮空気の冷却ないし降温と加温を交互に行ない、圧縮空気中の水蒸気の分布を粗密に調整するとともに、大管部と細管部を移動する圧縮空気の移動速度を減速または増速して、降温した圧縮空気中の粗状態の水蒸気をゆっくり移動させ、加温した圧縮空気中の密状態の水蒸気を速やかに移動させてコイル状の冷却管１３による攪拌効果と相俟って、圧縮空気中の水蒸気の分布の均一化と安定化を図り、これを気液分離器２９へ送り出すようにしている。
すなわち、冷却槽４の上段の移動域Ｚ1の冷却管１３の内径Ｄ1を空気導入管２の内径よりも増径し、中段の移動域Ｚ2の冷却管１３の内径Ｄ2を空気導入管２と同径に形成し、下段の移動域Ｚ3の冷却管１３の内径Ｄ2を上段の移動域Ｚ1の内径Ｄ1と同径に形成し、直管部１３ｂの下半分を移動域Ｚ2の内径Ｄ3と同径に形成し、直管部１３ｂの上半分を移動域Ｚ1の内径Ｄ1と同径に形成し、大管部と細管部を交互に形成している。
【手続補正５０】
【補正対象書類名】明細書
【補正対象項目名】００７９
【補正方法】変更
【補正の内容】
【００７９】
このようにこの応用形態は、圧縮空気中の水蒸気の拡散と密集を交互に繰り返し、その移動速度を加減速して水蒸気の分布の均一化を図り、一様に除湿ないし冷却し安定した圧縮空気を気液分離器２９へ送り出し、気液分離器２９の気液分離作用を安定かつ能率良く行なうようにしている。
この場合、冷却槽４のコイル状部１３ａを省略してエアーチャンバ５５を増設することも可能で、そのようにすることで構成を簡潔にし、冷却能力を向上することができる。
【手続補正５１】
【補正対象書類名】明細書
【補正対象項目名】００８０
【補正方法】変更
【補正の内容】
【００８０】
図１３は本発明の第２の実施形態を示し、この実施形態は収納ボックス６の下部に該ボックス６の底面積よりも広い底面積を有する張出ボックス６０を配置し、該ボックス６０の下面の四隅に脚５３を取付け、収納ボックス６を全体的に小形軽量化するとともに、設置の安定性を向上するようにしている。
また、収納ボックス６の左右の側面板１６，１７の同高位置にインレット４２とアウトレット４３を配置し、インレット４２を配置した側面板１６の下部にホースエンド５１を取付け、収納ボックス６の一側に冷却槽４とエア−タンク１を配置し、他側にエアーツール４９を配置して、収納ボックス６の設置の簡便化と設置スペースのコンパクト化を図るとともに、それらに対する空気導出管５と空気導入管２、空気供給管４７の配管の簡潔化を図るようにしている。
【手続補正５２】
【補正対象書類名】明細書
【補正対象項目名】００８１
【補正方法】変更
【補正の内容】
【００８１】
このように本発明の気液分離器の収納装置は、圧縮空気を高精度かつ能率良く気液分離し、気液分離し乾燥かつ除湿した圧縮空気をエアーツールへ安全に供給し得るとともに、気液分離器を屋内外の所望位置に簡便かつ安全に設置できるから、例えばエアコンプレッサ等から供給されたエアータンク内の圧縮空気を気液分離する気液分離器の取付けないし設置に好適である。
【手続補正５３】
【補正対象書類名】明細書
【補正対象項目名】００８２
【補正方法】変更
【補正の内容】
【００８２】
１        エアータンク
４        冷却槽
６        収納ボックス
１２        冷却水
１３        冷却管
１３ａ      コイル状部
１３ｂ      直管部
【手続補正５４】
【補正対象書類名】特許請求の範囲
【補正対象項目名】全文
【補正方法】変更
【補正の内容】
【特許請求の範囲】
【請求項１】
エアータンクからエアーツールへ圧縮空気を供給する供給管路に収納ボックスを介挿し、該収納ボックスに前記供給管路に連通し圧縮空気の気液を分離可能な気液分離器を収納し、前記収納ボックスを屋内外へ移動かつ持ち運び可能に設置したことを特徴とする気液分離器の収納装置。
【請求項２】
前記収納ボックスの一側面に供給管路に連通するインレットとアウトレットを配置した請求項１記載の気液分離器の収納装置。
【請求項３】
前記収納ボックスの一側面に供給管路に連通するインレットを配置し、他側面にアウトレットを配置した請求項１記載の気液分離器の収納装置。
【請求項４】
前記収納ボックスの周面の一部を開閉可能にした請求項１記載の気液分離器の収納装置
【請求項５】
前記収納ボックスの背面に開口部を設け、該開口部に背面カバーを着脱可能に取付けた請求項１記載の気液分離器の収納装置。
【請求項６】
前記収納ボックスの上部に該ボックスを持ち運び可能な把手を設けた請求項１記載の気液分離器の収納装置。
【請求項７】
前記収納ボックスを屋外に設置可能にした請求項１記載の気液分離器の収納装置。
【請求項８】
前記収納ボックスの下部に該ボックスの底面積よりも広い面積を備えた張出ボックスを配置した請求項１記載の気液分離器の収納装置。
【請求項９】
前記収納ボックスの側面内面にガイドレ−ルを水平に取付け、該ガイドレ−ルの長さ方向に支持金具を摺動可能に取付け、該支持金具に気液分離器を挟持可能にした請求項１記載の気液分離器の収納装置。
【請求項１０】
前記インレットとアウトレットに空気導出管または空気供給管を装着したカプラを着脱可能に連結した請求項２記載の気液分離器の収納装置。